(57)【特許請求の範囲】
【請求項１】
ソリッド型ボディを有する弦楽器に設けられた各弦の弦振動をブリッジを介してボディに伝達する弦楽器において、
ボデイに固定したブリッジに音波高伝導素子の一端を圧接し、
該音波高伝導素子は金属パイプ又は高伝導化学合成素材によるパイプであって、ブリッジで支持された各弦をボディに挿通するために形成された縦孔の途中まで該パイプを圧接状態で埋め込んだことにより、
該パイプを介してブリッジの弦振動をボディの内部全体へ強制的に伝達するようにしたことを特徴とする弦楽器の弦支持方法。
【発明の詳細な説明】
【技術分野】
【０００１】
本発明は、中実構造のソリッド型ボディを有する弦楽器の各弦をボディの表面に固定したブリッジで支持する弦楽器の弦支持方法に関する。
【背景技術】
【０００２】
従来から知られている弦楽器としてギターの一般構造は、各弦の一端がネック（桿）のヘッド部に設けられたペグ（糸巻き）によって係止されると共に、各弦の他端がボディの表面に固定されたブリッジで支持されることにより、各弦の振動がブリッジを介してボディに伝達される構造とされている。
【０００３】
ところで、アコースティックギターは、各弦の弦振動をブリッジを介して共鳴胴に伝達することにより、各弦の振動エネルギーを音響エネルギーに変換するため、弦振動を強制的に共鳴胴に伝えて、巧みに音響成分に変換するシステムが必要とされる。
【０００４】
これに対して、電気ギターには、弦振動を電気信号に変換するピックアップ装置が設けられているため、ボディの音響特性はさほど要求されず、１枚の木材又は合板等によって所定形状に形成した中実構造のソリッド型とするのが一般的である。従って、ソリッド型ボディの電気ギターの場合、ボディの音響特性は材料の選定に依存しているのが現状であり、高価な材料を使用する結果、楽器の値段が高騰するという不都合があった。
【０００５】
しかしながら、元来、ボディの表面板に振動エネルギーを伝えるブリッジとソリッド型ボディもまた振動体であり、ブリッジに伝達された各弦の弦振動を強制的にボディに伝達することが、優れた音色を出すための一つの要因となる。
【０００６】
そこで、従来の楽器において、ブリッジに係る振動伝達系の従来技術として、特許文献１を参照する。この文献の発明は、弦とブリッジとの間にレバー機構を設け、弦と表面板との機械インピーダンスを整合させることにより、弦の振動エネルギーを強制的に表面板に伝えることによって、豊かな音量を得るようにしたものである。
【０００７】
ところが、この特許文献１の技術は、ボディに表面板を有する中空型のアコースティックギターを対象としたものであり、具体的な構成としては、ブリッジと弦との間に一端を梁で支持したレバーを取り付ける構成とされているため、弦の支持構造が複雑となり、またレバー構造がブリッジの周辺に露呈しているため、従来の電気ギターの外装とは異なるものになるという不都合が生じる。
【０００８】
また、ソリッド型ボディの電気ギターに関する従来技術としては、特許文献２が存在するが、これはボディ本体とネック本体とを別構造に構成し、ボディ本体の裏面の幅方向の中央に形成した嵌合溝にネック本体の延長部を嵌合させ、ボルトや接着剤等で固定するようにしたものであり、各弦の弦振動を強制的にボディに伝達するように改良されたものではない。
【特許文献１】特開２００５−１５６６４８号公報
【特許文献２】特開２００３−３３０４６６号公報
【発明の開示】
【発明が解決しようとする課題】
【０００９】
その他、電気ギターのブリッジに関する従来技術は少なからず存在するが、多くは変則チューニングを簡単な構造で実現するようにしたものであり、ソリッド型ボディの電気ギターにおいて、各弦から伝わってきたブリッジの弦振動を強制的にボディに伝えるようにした従来技術は見出しえないのが実情である。
【００１０】
本発明は、上記の事情に鑑みてなされたもので、ソリッド型ボディの弦楽器において、ブリッジに伝達された各弦の弦振動をボディの内部に伝える構造を改良することにより、弦振動の反響音や持続性を向上させ、優れた音色を奏でることができるようにした弦楽器の弦支持方法を提供することを目的とする。
【課題を解決するための手段】
【００１１】
上記の問題を解決するために、本発明における請求項１の弦楽器の弦支持方法は、ソリッド型ボディを有する弦楽器に設けられた各弦の弦振動をブリッジを介してボディに伝達する弦楽器において、ボデイに固定したブリッジに音波高伝導素子の一端を圧接し、該音波高伝導素子は金属パイプ又は高伝導化学合成素材によるパイプであって、ブリッジで支持された各弦をボディに挿通するために形成された縦孔の途中まで該パイプを圧接状態で埋め込んだことにより、該パイプを介してブリッジの弦振動をボディの内部全体へ強制的に伝達するようにしたことを特徴とする。
【発明の効果】
【００１９】
本発明の弦楽器の弦支持方法によれば、ブリッジに伝達された各弦の弦振動を音波高伝導素子（金属パイプ又は金属プレート）を介してボディに強制的に伝達することが可能となり、これによって、各弦から伝わってきた弦振動を強制的且つ効率的にボディの内部全体に伝え、弦振動の反響音や持続性を向上させることによって、優れた音色を奏でることが可能となる。
【００２０】
また、本発明において、音波高伝導素子（金属パイプ又は金属プレート）はボディの内部に設けられているため、外観的には従来の弦楽器と変わることがなく、その材料も少量であり、安価であるため、改良された弦楽器の値段も高騰することがない。
【発明を実施するための最良の形態】
【００２１】
以下、本発明の実施例について図面を参照しながら説明する。なお、本発明による弦楽器としては、ソリッド型ボディを有する電気ギターを例に挙げ、ブリッジ構造の相違によって各実施例に分けて説明することとする。
【００２２】
なお、本発明による弦楽器は、以下の説明からも明らかなように、各弦に発生した弦振動を電気信号に変換するピックアップ装置等の電気要素を必須の構成とするものではなく、従って電気ギター以外であっても、ボディに下記の金属パイプを設けることができるボディ構造を有する弦楽器であれば、本発明を適用することが可能である。
【００２３】
本実施例による弦楽器の全体構造は、外観的には従来の電気ギターと同様に構成されている。即ち、図８に示すように、各弦２、２…の一端がネック３のヘッド部３ａに設けられたペグ（糸巻き）４、４…によって係止されると共に、各弦２、２…の他端がボディ５の表面に固定されたブリッジ６で支持されることにより、各弦２、２…の弦振動がブリッジ６を介してボディ５に伝達される構造とされている。また、ボディ５は、１枚の木材又は合板等によって所定形状に形成した中実構造のソリッド型ボディにより構成されている。なお、図８の電気ギター１の構造においてはブリッジ６にトレモロアーム２０が固設され、このトレモロアーム２０を揺動するアーミング操作を行なうことが可能とされている。
【実施例１】
【００２４】
この実施例による弦楽器は、「テレキャスタータイプ」と称せられる電気ギターであり、図１又は図２に示すように、ソリッド型ボディ５を有する弦楽器１に設けられた各弦２、２…の弦振動をブリッジ６を介してボディ５に伝達する弦楽器１において、ボディ５に固定したブリッジ６に音波高伝導素子の一端を圧接すると共に、音波高伝導素子をボディ５の内部に埋め込んだ構成とし、音波高伝導素子として金属パイプ７を使用したものである。ただし、音波高伝導素子として、カーボン等の高伝導化学合成素材によるパイプを用いることも可能である。
【００２５】
即ち、本実施例による弦楽器は、図１又は図２に示すように、本実施例のブリッジ６は平板矩形状のブリッジプレート６ａの端部にテイルピース６ｂが折曲形成され、ブリッジプレート６ａに弦数（例えば６本）に応じて複数個のサドル８、８…が配列されたものである。各サドル８はテイルピース６ｂに螺合された調整ネジ９によって各弦の張力調整が可能とされている。また、ヘッド部３ａ（図８参照）のペグ（糸巻き）４、４…に一端を取付けた各弦２、２…は各サドル８、８…の上部に２本ずつ螺合された係止ネジ１０、１０間で係止されると共に、各サドル８、８…の内方から下方へ挿通され、ボディ５側に形成された各縦孔１１、１１…に挿通されている。さらに、各弦２、２…の他端は各縦孔１１、１１…の下端部に設けられた係止部材１２で固定されている。
【００２６】
上記の構成において、本実施例は、弦数に対応して形成された縦孔１１、１１…の上部の３分の２程度の長さを有して金属パイプ７（図３参照）を埋め込んだ構成としている。この金属パイプ７は、優れた音波高伝導素子（即ち、振動減衰率が低く、音の振動を良く伝える材料）である真鋳製パイプの他に、チタン、ステンレス、銅製等による金属パイプを用いるとよい。
【００２７】
また、金属パイプ７の埋め込み深さは、本実施例ではボディ５の厚さの３分の２程度としてあるが、これは金属パイプ７の下端がボディ５の裏面に露出しないことと、ボディ５の強度になるべく影響を与えないためのもので、ボディ５の厚さの３分の２以上の深さとなることを妨げるものではない。
【００２８】
また、金属パイプ７の外径は、３〜１０mmとするのが好ましいが、この金属パイプ７の外径は縦孔１１の内径よりもやや大径とする必要があり、これによって金属パイプ７は縦孔１１内に圧接された状態で装着される。
【００２９】
さらに、図１(ａ)に示すように、金属パイプ７の上端をボディ５の表面よりもやや突出した状態に埋め込むと共に、図１（ｂ）に示すように、この金属パイプ７を覆う位置にブリッジ６を止めネジ１３で締め付け固定することにより、ブリッジ６の下面に金属パイプ７の上端が圧接された構成となる。従って、溶接等により金属パイプ７をブリッジ６に接合しなくても、金属パイプ７とブリッジ６とを圧接状態に保つことができ、ブリッジ６に伝達された各弦２、２…の弦振動を強制的に金属パイプ７に伝達することが可能となる。
【００３０】
また、上記の金属パイプ７は、弦数（例えば６本）に応じて設けられた縦孔１１、１１…のうち両端の縦孔１１、１１に設けることによって、６本の弦から伝達されるブリッジ６の弦振動をバランス良くボディ５に伝達することが可能となる。
【００３１】
本実施例において、上記のように金属パイプ７の上端がブリッジ６の下面に圧接されると共に、各縦孔１１、１１…に密着状態で圧接され、さらにこの金属パイプ７がボディ５の平面方向に対して垂直に設けられたことにより、ブリッジ６の弦振動は金属パイプ７を介してボディ５の平面に沿った方向に効率良く伝達され、弦振動をボディ５の内部全体へ強制的に伝達することが可能となる。
【実施例２】
【００３２】
本実施例による弦楽器は、「レスポールタイプ」と称せられる電気ギターであり、図４（ａ）、（ｂ）に示すように、ソリッド型ボディ５を有する弦楽器１に設けられた各弦２、２…の弦振動をブリッジ６を介してボディ５に伝達する弦楽器１において、ブリッジ６をボディ５に固定するためのブリッジ受け部材１４に音波高伝導素子の一端を圧接すると共に、音波高伝導素子をボディ５の内部に埋め込んだ構成としたものであり、音波高伝導素子として金属パイプ７を使用したものである。ただし、本実施例においても、音波高伝導素子として、カーボン等の高伝導化学合成素材によるパイプを用いることも可能である。
【００３３】
即ち、本実施例による弦楽器は、図４（ａ）、（ｂ）に示すように、ブリッジ６を構成する横長棒状のブリッジピース１５の両端が高さ調整ネジ１６を介してブリッジ受け部材１４、１４で支持され、ブリッジピース１５の内部には６本の弦に応じて６個のサドル１７、１７…が配列され、各弦２、２…は夫々のサドル１７に設けられた各係止溝１７ａに係止されると共に、ボディ５の下方端部に設けられた固定部材１８で固定された構成とされている。なお、各サドル１７、１７…はブリッジピース１５に螺合された各調整ネジ１９、１９…の締め付け調整によって、各弦２の張力を調節することが可能である。
【００３４】
本実施例は、上記の構成において、ブリッジピース１５を両端で支持するブリッジ受け部材１４、１４をボディ５の上部に埋め込んだうえ、各ブリッジ受け部材１４の深さ方向の延長部に金属パイプ７を埋め込んだ構成とされている。このような構成により、各ブリッジ受け部材１４の下端と金属パイプ７の上端とが圧接状態で接触した構成となり、各弦２、２…の弦振動をブリッジピース１５と両端のブリッジ受け部材１４、１４を介して各金属パイプ７、７に強制的に伝達することが可能となる。
【００３５】
また、本実施例において、金属パイプ７は、実施例１と同様に、音波伝導効率に優れた真鋳製パイプの他に、チタン、ステンレス、銅製等による金属パイプ７を利用し、また実施例１と同様の理由でボディ５の３分の２程度の深さにするのが好ましく、さらに金属パイプ７の外径はブリッジ受け部材１４の外径と略同様のものとするのが好ましい。
【００３６】
また、本実施例において、金属パイプ７は、ブリッジピース１５の両端を支持するブリッジ受け部材１４、１４の設置位置に設けられているため、６本の弦から伝達されるブリッジ６の弦振動をバランス良くボディ５に伝達することが可能となる。
【００３７】
本実施例においても、上記のように金属パイプ７の上端がブリッジ受け部材１４の下端に圧接されると共に、各金属パイプ７がボディ５に密着状態で圧接され、さらにこの金属パイプ７がボディ５の平面方向に対して垂直に設けられたことにより、ブリッジ６の弦振動はブリッジ受け部材１４及び金属パイプ７を介してボディ５の平面に沿った方向に伝達され、各弦の弦振動をボディ５の内部全体へ強制的に伝達することが可能となる。
【実施例３】
【００３８】
本実施例による弦楽器は、「ストラトキャスタータイプ」と称せられる電気ギターであり、図５に示すように、ソリッド型ボディ５を有する弦楽器１に設けられた各弦２、２…の弦振動をブリッジ６を介してボディ５に伝達すると共に、ブリッジ６に垂下状態に結合されたブリッジブロック６ｃを備える弦楽器において、ボディ５に形成した収容溝２３に隙間をあけて収容したブリッジブロック６ｃの前後の隙間２２ａ、２２ｂに音波高伝導素子を圧接状態で挟み込んだ構成としたものであり、音波高伝導素子として金属パイプ７又は金属プレート２７を使用したものである。
【００３９】
即ち、図５に示すように、ブリッジ６の構造は実施例１のものと略同様である。ただし、ブリッジプレート６ａの下面にはブリッジブロック６ｃが垂下状態に固設され、ボディ５に形成された収納溝２３にブリッジブロック６ｃが前後に隙間２２ａ、２２ｂをあけた状態で収容されている。また、このブリッジブロック６ｃに各弦２、２…を挿通する必要数の縦孔２６、２６…が形成され、各弦２はブリッジブロック６ｃの下端部にて係止部材２６ａで固定されている。
【００４０】
このような構成において、本実施例による弦楽器は、収納溝２３とブリッジブロック６ｃとの隙間２２ａ、２２ｂに音波高伝導素子として金属パイプ７又は金属プレート２７を圧接状態で挟み込んだ構成としている。さらに、その他の音波高伝導素子として、カーボン等の高伝導化学合成素材によるパイプ又はプレートを用いることも可能である。上記の金属パイプ７又は金属プレート２７としては、音波伝導効率に優れた真鋳製の他に、チタン、ステンレス、銅製等による金属材料を利用するとよい。また、金属パイプ７の外径は３ｍｍ以上のものを使用し、金属プレート２７の厚さは隙間２２ａ又は２２ｂに応じたものとするのがよい。
【００４１】
上記の構成においても、ブリッジプレート６ａに固設されたブリッジブロック６ｃの下端と金属パイプ７又は金属プレート２７とが圧接状態で接合されたことにより、各弦２、２…の弦振動をブリッジプレート６ａとこれに固設されたブリッジブロック６ｃとを介して金属パイプ７又は金属プレート２７に強制的に伝達すると共に、金属パイプ７又は金属プレート２７に伝達された各弦２、２…の弦振動をボディ５の内部へ強制的に伝達することが可能となる。
【００４２】
また、本実施例に関連して、図６にアーミング操作を可能とする構造について図示してある。この図において、ブリッジ６のブリッジプレート６ａにトレモロアーム２０が固定され、トレモロアーム２０のアーミング操作を可能とするために、ブリッジプレート６ａの端部が、ボディ５に止めネジ２４ａで固定された支持プレート２４に対してヒンジ２５によって回動自在に構成されている。
【００４３】
また、ボディ５の裏面凹部２８において、ブリッジブロック６ｃの下端部の止め金具２９ａにスプリング２９の一端を接続し、その他端を裏面凹部２８に固設された止め金具２９ｂに接続した構成とし、ブリッジブロック６ｃを収納した収納溝２３の前後に隙間２２ａ、２２ｂを空けることによって、アーミングの際にブリッジブロック６ｃを前後に揺動可能としてあるが、その前後の隙間２２ａ、２２ｂに音波高伝導素子として金属パイプ７又は金属プレート２７を圧接状態で挟み込んだ構成とすることによって、上記のように各弦２、２…の弦振動を金属パイプ７又は金属プレート２７に強制的に伝達すると共に、ボディ５の内部へ強制的に伝達することが可能となる。
【００４４】
なお、このような構成において、収納溝２３の前後の隙間２２ａ、２２ｂに金属パイプ７又は金属プレート２７を圧接状態で挟み込んだ状態ではアーミング操作を行なうことができないが、金属パイプ７及び金属プレート２７を取り除くことによってアーミング操作を行なうことが可能となるため、各金属パイプ７は取付け及び取り外しを可能とした構成とするのが好ましい。
【実施例４】
【００４５】
上記のように「ストラトキャスタータイプ」と称せられる電気ギターにおいては、ブリッジに設けたトレモロアームでアーミング操作を行うことによって、音程を上下させるビブラート効果を奏することが可能であるが、上記の実施例３の構成では、アーミング操作を行なうために、収納溝２３の前後の隙間２２ａ、２２ｂに挟み込んだ金属パイプ７又は金属プレート２７等の音波高伝導素子を取り外す必要がある。
【００４６】
この実施例４は、金属パイプ７又は金属プレート２７等の音波高伝導素子を取り外すという操作を不要としてトレモロアーム２０のアーミング操作をおこなうことができ、且つ本発明による音波高伝導素子を設けた構成とすることによって、弦振動の音色改善を実現するようしたものである。
【００４７】
そのための構造としては、図７（ａ）、（ｂ）に示すように、ソリッド型ボディ５を有する弦楽器１に設けられた各弦２、２…の弦振動をブリッジ６を介してボディ５に伝達すると共に、ブリッジ６に垂下状態に結合されたブリッジブロック６を備える弦楽器において、ブリッジ６はボディ５に対して揺動自在に結合され、ブリッジブロック６ｃをボディ５に形成した収容溝２３に隙間２２ａ、２２ｂをあけて収容すると共に、ボディ５の裏面凹部２８に固定した音波高伝導素子３０の端部にブリッジブロック６ｃを当接して、該ブリッジブロック６ｃの下端部を弾性部材２９で音波高伝導素子３０の方向に張引した構造により、ブリッジ６に固設されたトレモロアーム２０をアーミング操作することによってブリッジ６全体を揺動可能としたものである。
【００４８】
このような構成について詳細に述べると、ブリッジ６に垂下状態に結合されたブリッジブロック６ｃはボディ５の上面に止めネジ２４ａ等で止められているが、ボディ５に対して完全に固定された構成ではなく、止めネジ２４ａに遊びを設けた締結状態とすることにより、止めネジ２４ａを支点としてブリッジプレート６ａを揺動可能としている。
【００４９】
さらに、本実施例においては、ブリッジブロック６ｃを、ボディ５に形成した収容溝２３に前後の隙間２２ａ、２２ｂをあけて収容すると共に、ボディ５の裏面に裏面凹部２８を形成し、この裏面凹部２８に金属プレート等による音波高伝導素子３０の一端を複数のネジ３１で固定する一方、音波高伝導素子３０の他端にブリッジブロック６ｃの側面を当接した状態とする。なお、本実施例において音波高伝導素子３０は、上記のように金属プレートに限定されるものではなく、金属パイプのほか、高伝導化学合成素材によるパイプ又はプレートで構成してもよい。
【００５０】
さらに、ブリッジブロック６ｃの下端部をスプリング２９等の弾性部材で音波高伝導素子３０の方向に張引する。このような構成において、図７（ｂ）に示すように、ブリッジブロック６ｃには、各弦２、２…を挿通する複数の縦孔２６、２６…が形成され、各弦２はブリッジブロック６ｃの下端部にて複数の係止部材２６ａで固定され、これら係止部材２６ａを収容する複数の係止用溝２６ｂ、２６ｂ…の間に各スプリング２９の一端を固定する止め金具２９ａ又は係止穴（不図示）を設け、また各スプリング２９の他端を収納溝２３の側壁に固定した各止め金具２９に固定することによって、ブリッジブロック６ｃを音波高伝導素子３０の方向に張引した状態にしてある。
【００５１】
このような構成によって、音波高伝導素子３０の端部はブリッジブロック６ｃに当接して、各弦２、２…の弦振動をブリッジブロック６ｃを介して音波高伝導素子３０に伝達すると共に、音波高伝導素子３０の振動をボディ５へ強制的に伝達することが可能となる。
【００５２】
また、本実施例によれば、上記の構造により、ブリッジに固設されたトレモロアーム２０をアーミング操作することによってブリッジ６全体を揺動して、音程を上下させるビブラート効果を奏することが可能となる。
【産業上の利用可能性】
【００５３】
本発明の弦楽器の弦支持方法によれば、ソリッド型ボディの弦楽器において、ブリッジに伝達された各弦の弦振動を金属パイプを介して強制的にボディ全体に伝え、弦振動の反響音や持続性を向上させることによって、優れた音色を奏でることができる弦楽器の弦支持方法として利用することが可能となる。
【図面の簡単な説明】
【００５４】
【図１】本発明の実施例１に係るブリッジ周辺の図であり、金属パイプを埋め込んだ箇所でボディを縦方向に切断した状況を示す断面図（ブリッジは側面で示す）であり、(ａ)はブリッジを固定する前の状況、(ｂ)はブリッジを固定した後の状況を示す。
【図２】本発明の実施例１に係るブリッジ周辺の断面図であり、図１（ｂ）のＡ−Ａ線断面図である。
【図３】本発明の実施例に使用する金属パイプの斜視図である。
【図４】(ａ)は本発明の実施例１に係るブリッジ周辺の図であり、金属パイプを埋め込んだ箇所でボディを縦方向に切断した状況を示す断面図（ブリッジは側面で示す）であり、(ｂ)は（ａ）のＢ−Ｂ線断面図である。
【図５】本発明の実施例３に係るブリッジ周辺に関し、ボディを縦方向に切断した状況を示す断面図（ブリッジは側面で示す）である。
【図６】本発明の実施例３をより具体化した構造に係るブリッジ周辺の断面図であり、ボディを縦方向に切断した状況を示す断面図である。
【図７】本発明の実施例４に係るブリッジ周辺の図であり、(ａ)はブリッジ周辺のボディを縦方向に切断した状況を示す断面図であり、（ｂ）はブリッジボディの収納溝を底面から見上げた状況を示す図である。
【図８】従来のソリッド型ボディの電気ギターの外観を示す平面図である。
【符号の説明】
【００５５】
１  弦楽器（電気ギター）
２  弦
３  ネック（桿）
３ａ  ヘッド部
４  ペグ（糸巻き）
５  ボディ
６  ブリッジ
６ａ  ブリッジプレート
６ｂ  テイルピース
６ｃ  ブリッジブロック
７  金属パイプ（音波高伝導素子）
８  サドル
９  調整ネジ
１０  係止ネジ
１１  縦孔
１２  係止部材
１３  止めネジ
１４  ブリッジ受け部材
１５  ブリッジピース
１６  調整ネジ
１７  サドル
１７ａ  係止溝
１８  固定部材
１９  調整ネジ
２０  トレモロアーム
２１  トレモロ装置
２２ａ、２２ｂ  隙間
２３  収納溝
２４  支持プレート
２４ａ  止めネジ
２５  ヒンジ
２６  縦孔
２６ａ  係止部材
２６ｂ  係止用溝
２７  金属プレート（音波高伝導素子）
２８  裏面凹部
２９  スプリング
２９ａ、２９ｂ  止め金具
３０  音波高伝導素子
３１  止めネジ
【図１】
0004332885.tif 000002
【図２】
0004332885.tif 000003
【図３】
0004332885.tif 000004
【図４】
0004332885.tif 000005
【図５】
0004332885.tif 000006
【図６】
0004332885.tif 000007
【図７】
0004332885.tif 000008
【図８】
0004332885.tif 000009